(57)【要約】【課題】片手で容易にペットボトルホルダーを使用できるようにし、片手しか使用することができない場合であっても飲みものを飲むことができるようにすることにある。【解決手段】ケース２は、ペットボトル１００が挿入可能な開口２２１を有し、ペットボトル１００を保持する。装着部３はケース２を所持者に装着させる。移動規制部材４は、ケース２に固定された固定部４１と、固定部４１から開口２２１を覆うように延び、ペットボトル１００の高さ方向の移動を規制可能な規制部４２と、規制部４２の先端部に配置され、ケース２から離れる方向に力を加えることでケース２から取り外し可能であり、ケース２に着脱可能な規制着脱部４３とを有する。【選択図】図１
2008044652.tif 000002
【特許請求の範囲】
【請求項１】
内部に飲みものを収納し一端部に飲み口を有するペットボトルを保持するペットボトルホルダーであって、
前記ペットボトルが挿入される開口を有し、前記ペットボトルを保持するケースと、
前記ケースを所持者に装着させる装着部と、
前記装着部の近傍以外の場所に配置され前記ケースに固定された固定部と、前記固定部から前記開口を覆うように延び、前記ペットボトルの高さ方向の移動を規制可能な規制部と、前記規制部の先端部に配置され、前記ケースから離れる方向に力を加えることで前記ケースから取り外し可能であり、前記固定部にほぼ対向する位置に設けられ、前記ケースに着脱可能な規制着脱部とを有する移動規制部材と、
を備えたペットボトルホルダー。
【請求項２】
前記規制部は前記ペットボトルの飲み口を露出させる飲み口用開口を有する、請求項１に記載のペットボトルホルダー。
【請求項３】
前記固定部は、前記ケースに固定された第１規制固定部と、前記第１規制固定部から一定間隔開けて前記ケースに固定された第２規制固定部とを有し、
前記規制部は、前記第１規制固定部から延びる第１規制帯状部と、前記第２規制固定部から延び、前記第１規制帯状部との間で前記飲み口用開口が形成され、先端部で前記第１規制帯状部の先端部と一体になっている第２規制帯状部とを有し、
前記規制着脱部は、前記第１規制帯状部及び前記第２規制帯状部の先端部に設けられ、前記ケースの前記固定部に対向する側面に着脱可能である、
請求項１又は２に記載のペットボトルホルダー。
【請求項４】
前記固定部は前記装着部にほぼ対向する位置に配置されている、請求項１から３のいずれかに記載のペットボトルホルダー。
【請求項５】
前記ケースは水が染み込みにくく柔軟な素材によって形成されている、請求項１から４のいずれかに記載のペットボトルホルダー。
【請求項６】
前記規制着脱部は、面ファスナーの一方側の面と第１係合部材とを有しており、
前記ケースは、外周側表面に面ファスナーの他方側の面と前記第１係合部材と互いに係合する第２係合部材とを有している、
請求項１から５のいずれかに記載のペットボトルホルダー。
【請求項７】
前記ケースは底面に孔を有する、請求項１から６のいずれかに記載のペットボトルホルダー。
【請求項８】
前記装着部は前記ケースに固定される装着固定部を有する環状部材を有する、請求項１から７のいずれかに記載のペットボトルホルダー。
【発明の詳細な説明】
【技術分野】
【０００１】
本発明は、ペットボトルホルダー、特に、内部に飲みものを収納し一端部に飲み口を有するペットボトルを保持するペットボトルホルダーに関する。
【背景技術】
【０００２】
ペットボトルを携帯するためにペットボトルホルダーを使用する場合がある。このペットボトルホルダーは、ペットボトルを携帯する人のベルトに取り付けられる取り付け部と、ペットボトルの飲み口の一部に接触可能な環状部分と、環状部分との間でペットボトルの飲み口を支持可能な締め具とを有している（特許文献１参照）。
【０００３】
このペットボトルホルダーでは、ペットボトルの飲み口を締め具と環状部分との間に位置させ、この状態で締め具を締めて、ペットボトルの飲み口を支持させる。そして、ペットボトルを取り出すためには一方の手で締め具の位置を調整しながら、他方の手でペットボトルを取り出す。
【特許文献１】登録実用新案第３０６７０４２号
【発明の開示】
【発明が解決しようとする課題】
【０００４】
ところで、鮎の友釣り等の場合には両方又は片方の手で竿を持っておく必要があるために片手しか使用することができない場合がある。このような場合には、ペットボトルホルダーを使用した場合であっても、片手でペットボトルホルダーからペットボトルを取り出し、飲みものを飲むのが困難である。
【０００５】
本発明の課題は、片手で容易にペットボトルホルダーを使用できるようにし、片手しか使用することができない場合であっても飲みものを飲むことができるようにすることにある。
【課題を解決するための手段】
【０００６】
請求項１に係るペットボトルホルダーは、内部に飲みものを収納し一端部に飲み口を有するペットボトルを保持するペットボトルホルダーであって、ケースと、装着部と、移動規制部材とを備えている。ケースは、ペットボトルが挿入可能な開口を有し、ペットボトルを保持する。装着部はケースを所持者に装着させる。移動規制部材は、装着部の近傍以外の場所に配置されケースに固定された固定部と、固定部から開口を覆うように延び、ペットボトルの高さ方向の移動を規制可能な規制部と、規制部の先端部に配置され、ケースから離れる方向に力を加えることでケースから取り外し可能であり、固定部にほぼ対向する位置に設けられ、ケースに着脱可能な規制着脱部とを有する。
【０００７】
このペットボトルホルダーでは、ペットボトルを収容する際には、開口からペットボトルをケースに挿入し、規制部がペットボトルの飲み口近傍を覆うように規制着脱部をケースに取り付ける。そして、装着部を所持者に装着させる。このために、ペットボトルを所持者に携帯させることができる。一方、ペットボトルを取り出す際には、規制着脱部をケースから取り外し、ペットボトルの高さ方向の移動の規制を解除するように規制部を移動させる。この状態で、ケースからペットボトルを取り出す。
【０００８】
ここでは、ペットボトルのケースへの挿入及び取り出し、規制着脱部のケースへの着脱、規制部の移動動作等の動作を行うことができる。このために、片手で容易にペットボトルホルダーを使用できる。これにより、片手しか使用することができない場合であっても飲みものを飲むことができる。
【０００９】
ここで、装着部が配置されている側の側面に対向する側面に規制着脱部が着脱される場合には、ペットボトルを取り出せるように規制部を移動させる際に規制着脱部側を所持者の体の方に移動させる必要がある。この場合には、規制着脱部を固定部側に移動させる際（固定部から規制部および規制着脱部が垂れ下がる状態にする際）に所持者の体が邪魔になり、移動させにくい。しかしこの発明では、固定部が装着部の近傍以外の場所に配置されており、規制着脱部が固定部とほぼ対向する位置に設けられているために、移動規制部材の規制着脱部を所持者の体から遠ざかる方向に移動させることで、ペットボトルの移動を解除できる。このために、所持者の体によって、移動規制部材の移動を妨げられにくくなる。
【００１０】
請求項２に係るペットボトルホルダーは、請求項１に記載のペットボトルホルダーであって、規制部はペットボトルの飲み口を露出させる飲み口用開口を有する。
【００１１】
ここでは、ペットボトルホルダーにペットボトルが挿入された状態であっても、飲み口用開口からペットボトルの飲み口が露出しているために飲み口から飲みものを飲むことができる。
【００１２】
請求項３に係るペットボトルホルダーは、請求項１または２に記載のペットボトルホルダーであって、固定部は、ケースに固定された第１規制固定部と、第１規制固定部から一定間隔開けてケースに固定された第２規制固定部とを有する。規制部は、第１規制固定部から延びる第１規制帯状部と、第２規制固定部から延び、第１規制帯状部との間で前記飲み口用開口が形成され、先端部で第１規制帯状部の先端部と一体になっている第２規制帯状部とを有する。規制着脱部は、第１規制帯状部及び第２規制帯状部の先端部に設けられ、ケースの固定部に対向する位置に着脱可能である。
【００１３】
このペットボトルホルダーでは、第１規制帯状部と第２規制帯状部とにペットボトルが支持された状態で飲み口用開口からペットボトルの飲み口が露出しているために飲み口から飲みものを飲むことができ、ペットボトルがケースから抜け出るのを防止できる。
【００１４】
請求項４に係るペットボトルホルダーは、請求項１から３のいずれかに記載のペットボトルホルダーであって、固定部は装着部にほぼ対向する位置に配置されている。
【００１５】
この請求項に係る発明では、規制着脱部をケースから剥離させ、規制部のペットボトルの高さ方向での移動の規制を解除する際に、所持者の体から離れる方向に移動させるために規制部を移動させやすくなる。
【００１６】
請求項５に係るペットボトルホルダーは、請求項１から４のいずれかに記載のペットボトルホルダーであって、ケースは水が染み込みにくく柔軟な素材によって形成されている。
【００１７】
ここでは、例えば鮎の友釣りのように水中で使用する場合などに扱いやすくなる。
【００１８】
請求項６に係るペットボトルホルダーは、請求項１から５のいずれかに記載のペットボトルホルダーであって、規制着脱部は、面ファスナーの一方側の面と第１係合部材とを有している。ケースは、外周側表面に面ファスナーの他方側の面と第１係合部材と互いに係合する第２係合部材とを有している。
【００１９】
ここでは、面ファスナーと第１および第２係合部材とを使用することで状況に応じて適切にケースに規制着脱部の取り付け強度を調整できる。
【００２０】
請求項７に係るペットボトルホルダーは、請求項１から６のいずれかに記載のペットボトルホルダーであって、ケースは底面に孔を有する。
【００２１】
ここでは、水中で使用する場合にケース内に水が入ったとしても孔から水を排出できるためにケース内に水が溜まるのを防止できる。
【００２２】
請求項８に係るペットボトルホルダーは、請求項１から７のいずれかに記載のペットボトルホルダーであって、装着部は、ケースに固定される装着固定部を有する環状部材を有する。
【００２３】
ここでは、所持者のベルトなどを環状部材の環状の部分に通して配置することで、所持者にケースを所持させることができる。
【発明の効果】
【００２４】
本発明では、片手で容易にペットボトルホルダーを使用できるようにし、片手しか使用することができない場合であっても飲みものを飲むことができるようにすることができる。
【発明を実施するための最良の形態】
【００２５】
１．構成
図１は本発明に係るペットボトルホルダー１の全体外観図である。ペットボトルホルダー１は、内部に飲みものを収納し一端部に飲み口１０１を有するペットボトル１００を保持する部材であって、ケース２と、装着部３と、移動規制部材４とを備えている。
【００２６】
ケース２は、ペットボトル１００を保持する部材であって、ケース底面２１（図２参照）と、ケース側面２２とを有している。また、ケース２は、ＥＶＡ等の水が染み込みにくく柔軟な素材によって形成されている。ケース底面２１は、円形の板状の部分であって、ケース２の最下部に配置されている。また、ケース底面２１には、図２に示すように、円形の孔２１１が設けられており、この円形の孔２１１から水などを排出可能になっている。ケース側面２２は、ケース底面２１の外周から上方に延びる部分、すなわち円筒状の部分であって、ケース２内部にペットボトル１００を収納した状態でペットボトル１００の側部を支持する部分である。さらに、ケース側面２２にはボタン凹部２２３（第１係合部）およびボタン凹部２２３の下側に面ファスナーの第１ファスナー面２２４が設けられている。ここで、ケース側面２２が円筒状の部分であるためにケース側面２２の上側端部に開口２２１が設けられている。この開口２２１は、ペットボトル１００よりも大きく、ペットボトル１００が挿入可能である。
【００２７】
装着部３は、ペットボトル１００の所持者にペットボトルホルダー１を装着させる部分であって、装着固定部３１と、環状部３２とを有する。装着固定部３１は、ケース側面２２の長手方向ほぼ中間の位置に取り付けられた部分であって、長方形状の部分である。環状部３２は、装着固定部３１から環状に延びる部分であって、柔軟な素材、例えばケース２と同じＥＶＡなどによって形成されている。
【００２８】
移動規制部材４は、ペットボトル１００の高さ方向の移動を規制するための部分であって、固定部４１と、規制部４２と、規制着脱部４３とを有する。また、移動規制部材４はケース２の上側に配置された部材である。
【００２９】
固定部４１は、ケース側面２２の上部に固定された部分であって、第１規制固定部４１１と、第２規制固定部４１２とを有している。第１規制固定部４１１は長方形の部分である。第２規制固定部４１２は、第１規制固定部４１１と同形状の部分であって、第１規制固定部４１１からケース側面２２の周方向に所定の距離離れた場所に配置されている。
【００３０】
規制部４２は、ペットボトル１００の上側に接触してペットボトル１００の高さ方向の移動を規制する部分であって、第１規制帯状部４２１と、第２規制帯状部４２２とを有している。また、規制部４２は固定部４１を中心として移動可能な部分である。第１規制帯状部４２１は、第１規制固定部４１１から延びる部分であって、柔軟な部材によって形成されている。第２規制帯状部４２２は、第２規制固定部４１２から延びる部分であって、第１規制帯状部４２１と、ケース側面２２上側端部との間でペットボトル１００の飲み口１０１が露出する飲み口用開口４４を形成する部分である。また、第２規制帯状部４２２は、柔軟な素材で形成された部分であって、第２規制帯状部４２２の先端部は、第１規制帯状部４２１の先端部と重なっている。
【００３１】
規制着脱部４３は、第１規制帯状部４２１及び第２規制帯状部４２２の端部に設けられた部分であって、面ファスナーの第１ファスナー面２２４対応する面ファスナーの第２ファスナー面４３２およびボタン凹部２２３と互いに係合するボタン凸部４３１（第２係合部材）を有している。この面ファスナー及びボタンによって、状況に応じた取り付け強度が得られる。具体的には、規制着脱部４３を取り外したくない場合（例えばペットボトル１００運搬時などのようにペットボトル１００をケース２から出したくない場合）には、ボタンを止めるとともに面ファスナーを貼り付けることによって高い取り付け強度を得ることができる。一方、規制着脱部４３を取り外しやすくしたい場合には面ファスナーのみを貼り付けることによって低い取り付け強度を得ることができる。
【００３２】
２．動作
次にペットボトル１００の出し入れ及びペットボトル１００の内部の飲みものを飲む動作について説明する。
【００３３】
環状部３２の環状の部分にペットボトル１００所持者のベルトを通してペットボトルホルダー１をペットボトル１００の所持者に装着させた後、規制着脱部４３をケース側面２２から引きはがし、開口２２１が露出するように固定部４１を中心として規制部４２を移動させる。そして、ペットボトル１００を開口２２１からケース２内に挿入する。ペットボトル１００を挿入した後、固定部４１を中心に規制部４２を移動させる。このとき、第１規制帯状部４２１及び第２規制帯状部４２２をペットボトル１００の飲み口１０１を狭持するように位置させる。そして、面ファスナーの第２ファスナー面４３２を面ファスナーの第１ファスナー面２２４に貼り付ける。片手しか使えない状態でペットボトル１００内の飲みものを飲む際には、片手で面ファスナーを引きはがし、固定部４１を中心に規制部４２の規制着脱部４３を固定部４１側に移動させる。この状態で、ペットボトル１００の蓋を取り外す。ペットボトル１００の蓋を取り外した後にペットボトル１００を持って内部の飲みものを飲む。
【００３４】
なお、ここで、ペットボトル１００を運搬する場合などのように規制着脱部４３がケース２から外れにくくしたい場合には、ケース２の内部にペットボトル１００を収納した後に、規制部４２がペットボトル１００に接触するように規制部４２を移動させ、規制着脱部４３のボタン凸部４３１をケース側面２２のボタン凹部２２３にはめ込み、面ファスナーの第２ファスナー面４３２を面ファスナーの第１ファスナー面２２４に貼り付ける。このようにすると、面ファスナーおよびボタンによって規制着脱部がケース２に取り付けられるために取り付け強度が面ファスナーのみによって取り付けている場合よりも強くなる。
【００３５】
ここでは、片手でも容易にペットボトルホルダー１からペットボトル１００を出し入れすることができる。また、状況に応じて規制着脱部４３の取り付け強度を調整することができる。さらに、ケース底面２１の孔２１１を有しており、水が染み込みにくい素材でケース２が形成されているために水中であっても使用しやすい。さらに、装着部３の上側に規制着脱部４３が配置されているために固定部４１を中心に規制部４２を移動させる際に規制部４２および規制着脱部４３を固定部４１側に移動させた状態にすることができる（所持者自身の体が邪魔になりにくい）ために、ペットボトル１００を取り出しやすくなる。
【００３６】
３．他の実施形態
（ａ）上記実施形態では、孔２１１をケース底面２１に設けたが、本発明はこれに限られずに、ケース側面２２の下部に設けても良い。
【００３７】
（ｂ）また、上記実施形態では、規制着脱部４３としてボタンおよび面ファスナーを用いたが、本発明はこれに限られずに、どちらか一方のみであっても良い。そして、図３および図４に示すように、フック５４５を設けても良い。このフック５４５は規制着脱部５４３の先端側（規制部が配置されている側の逆側）を外側に折り曲げて形成されたものである。この場合、フック５４５を上側に引っ張ることで規制着脱部５４３（第３ファスナー面５２２および第４ファスナー面５３２）をケース２から取り外すことができる。
【００３８】
（ｃ）さらに、上記実施形態ではペットボトルホルダー１からペットボトル１００を出す際には、規制着脱部４３の取り付けを片手で解除するようにしたが、本発明はこれに限られずに、規制部４３によってペットボトル１００の高さ方向の移動が規制されている状態で、飲み口１０１をペットボトル１００の高さ方向に移動させることで規制着脱部４３をケース２から取り外せるようにしても良い。
【００３９】
（ｄ）上記実施形態では、装着固定部３１と、環状部３２とを有する装着部を用いたが、本発明はこれに限られずに、環状部の一部が装着固定部３１に着脱可能になっていても良い。この場合には、さらに所持者の物（ベルトなど）に取り付けやすくなる。
【００４０】
（ｅ）また、規制着脱部４３として面ファスナーを用いたが、一方向に引っ張ることで取り外し可能なものであれば良く、磁石等の着脱手段などであっても良い。
【００４１】
（ｆ）さらに、上記実施形態では、装着部３が設けられた位置の近傍の側面に対向する側面に固定部３を配置したが、本発明はこれに限られずに、装着部５０３が設けられた位置の近傍の側面以外の場所、例えば図５に示すように、装着部５０３が設けられた位置とその対向する位置とを結ぶ線に直交するように固定部５４１と規制着脱部５４３とを配置しても良い。このようなペットボトルホルダー５１０では、ペットボトルを取り出す際に、規制部５４２を所有者の体側に移動させる必要が無く片手でペットボトルを取り出しやすくなる。
【図面の簡単な説明】
【００４２】
【図１】本発明に係るペットボトルホルダー１にペットボトル１００が挿入された状態の図。
【図２】本発明に係るペットボトルホルダー１を示す図。
【図３】他の実施形態に係るペットボトルホルダー１の規制着脱部５４３の図。
【図４】他の実施形態に係るペットボトルホルダー１の規制着脱部５４３の図。
【図５】他の実施形態に係るペットボトルホルダー５１０を示す図。
【符号の説明】
【００４３】
１  ペットボトルホルダー
２  ケース
３  装着部
４  移動規制部材
２１  ケース底面
３１  装着固定部
３２  環状部
４１  固定部
４２  規制部
４３  規制着脱部
１００  ペットボトル
１０１  飲み口
２２１  開口
２２３  ボタン凹部（第１係合部材）
４１１  第１規制固定部
４１２  第２規制固定部
４２１  第１規制帯状部
４２２  第２規制帯状部
４３１  ボタン凸部（第２係合部材）
５０３  装着部
５１０  他の実施形態に係るペットボトルホルダー
５４１  固定部
５４２  規制部
５４３  規制着脱部
【図１】
2008044652.tif 000003
【図２】
2008044652.tif 000004
【図３】
2008044652.tif 000005
【図４】
2008044652.tif 000006
【図５】
2008044652.tif 000007